(57)【要約】  本発明は、ロール２がジャーナル３を介してころがり軸受５によって軸受台４に軸承され、ジャーナル３を通る少なくとも１つの軸方向のロール穴６を経て冷却媒体をロールに供給可能であり、軸方向のロール穴６に接続するためにロールジャーナル３に圧密に固定可能である、好ましくは弾性スリーブの形をしたシールユニットと、ロール穴６を覆うために軸受台４に固定可能でありかつ冷却媒体供給部に接続可能な少なくとも１つの冷却媒体通路１１、１２を有する軸受台カバー９とを具備する、冷却媒体供給部を特に連続鋳造設備用のロール２に接続するための装置に関する。
2009513361.tif 000002
【特許請求の範囲】
【請求項１】
ロール（２）がジャーナル（３）を介してころがり軸受（５）によって軸受台（４）に軸承され、ジャーナル（３）を通る軸方向のロール穴（６）を経て冷却媒体をロールに供給可能である、冷却媒体供給部を特に連続鋳造設備用のロールに接続するための装置であって、
ロール穴（６）に接続するためにロールジャーナル（３）に圧密に固定可能である、軸方向穴を有するシールユニットと、
軸方向のロール穴（６）を覆うために軸受台（４）に固定可能である軸受台カバー（９）とを備え、この軸受台カバーが冷却媒体供給部に接続可能である少なくとも１つの冷却媒体通路（１７；１８）を備え、この冷却媒体通路がシールユニットを介して軸方向のロール穴（６）に接続可能であり、
シールユニットが二分割シールユニットとして形成され、この二分割シールユニットがロール穴（６）に差込み可能なブッシュ（７）を備え、このブッシュがそれに固定されてそれと共に回転する、第１シール面を有する第１シール要素（１９）を備え、二分割シールユニットがさらに、第１シール面上で滑動する第２シール面を有する第２シール要素（２０）を備え、第２シール要素が軸受台カバー（９）によって支持されているかまたは軸受台カバーと一体化され、
ロール穴（６）に差込み可能なブッシュ（７）が組み立て状態でボルトなし差込み継手によってロール穴（６）内で保持されている、装置。
【請求項２】
第２シール要素（２０）が組み立て状態でボルトなし差込み継手を介して軸受台カバー（９）に取外し可能に連結されていることを特徴とする請求項１に記載の装置。
【請求項３】
第１シール要素（１９）が弾性スリーブ（８）によって支持され、この弾性スリーブがロール穴（６）に差込み可能なブッシュ（７）に圧密に固定されていることを特徴とする請求項１または２に記載の装置。
【請求項４】
第２シール要素（２０）が弾性スリーブ（８）によって支持され、この弾性スリーブが軸受台カバー（９）に圧密に固定されていることを特徴とする請求項１または２に記載の装置。
【請求項５】
ブッシュ（７）が軸方向のロール穴（６）内への差込み深さを制限するためにストッパー（２４）を備えていることを特徴とする請求項１〜４のいずれか一項に記載の装置。
【請求項６】
ボルトなし差込み継手が回転防止部材を備えていることを特徴とする請求項１〜５のいずれか一項に記載の装置。
【請求項７】
ブッシュ（７）が組み立て状態で、ロール穴（６）からブッシュ（７）を引き抜くために引き抜き工具を係合させることが可能であることを特徴とする請求項１〜６のいずれか一項に記載の装置。
【請求項８】
弾性スリーブ（８）が補償器を備えていることを特徴とする請求項３〜７のいずれか一項に記載の装置。
【請求項９】
組み立て状態でシールユニット（７；８；１９；２０）を支持するインサート（１４）が軸受台カバー（９）に挿入可能であり、シールユニットを介して冷却媒体供給部を軸方向のロール穴（６）に圧密に接続するために、インサート（１４）が少なくとも１つの冷却媒体通路を備え、この冷却媒体通路がインサート（１４）の組み立て状態で軸受台カバー（９）内の冷却媒体通路（１７；１８）とシールユニット（７；８；１９；２０）に接続されていることを特徴とする請求項１〜８のいずれか一項に記載の装置。
【請求項１０】
インサート（１４）が分解状態で軸受台カバー（９）を取り外さずにロール穴からブッシュ（７）を取り出すことができるように採寸されて形成されていることを特徴とする請求項９に記載の装置。
【請求項１１】
インサート（１４）が第１冷却媒体通路（１１）と第２冷却媒体通路（１２）とを備え、インサートの組み立て状態でこの両冷却媒体通路が軸受台カバー（９）の第１または第２冷却媒体通路（１７；１８）に接続されていることを特徴とする請求項９または１０に記載の装置。
【請求項１２】
軸受台カバー（９）の第１冷却媒体通路（１７）が冷却媒体供給部に接続可能であり、軸受台カバー（９）の第２冷却媒体通路（１８）が冷却媒体排出部に接続可能であることを特徴とする請求項１１に記載の装置。
【請求項１３】
冷却媒体排出部および／または冷却媒体供給部に接続された軸受台据え付け面に接続するための接続管が、軸受台カバー（９）の少なくとも１つの冷却媒体通路内に挿入可能であり、この場合接続管が軸受台カバー（９）によって収容されるように挿入可能であることを特徴とする請求項１〜１２のいずれか一項に記載の装置。
【請求項１４】
両シール要素（１９；２０）が互いに滑動するスライドリングとして形成されていることを特徴とする請求項１〜１３のいずれか一項に記載の装置。
【請求項１５】
両スライドリング（１９；２０）がそれぞれ各々１個の保持リング（２３）によって保持可能であることを特徴とする請求項１４に記載の装置。
【請求項１６】
両スライドリング（１９；２０）の各々が周方向に延在するスライドリングカラーを備え、保持リング（２３）がこのスライドリングカラーに作用していることを特徴とする請求項１５に記載の装置。
【請求項１７】
ロール（２）がジャーナル（３）を介してころがり軸受（５）によって軸受台（４）に軸承され、ジャーナル（３）を通る軸方向のロール穴（６）を経て冷却媒体をロールに供給可能である、冷却媒体供給部を特に連続鋳造設備用のロールに接続するための装置であって、一端がロールジャーナル（３）に、他端が冷却媒体供給部に圧密に固定可能なシールユニットを備え、このシールユニットが二分割シールユニットとして形成され、二分割シールユニットがそれぞれスライドリング保持部（１４；２１）内に、第１シール面を有する第１スライドリング（１９）と、第１シール面上で滑動する第２シール面を有する第２スライドリング（２０）とを備え、両スライドリング（１９；２０）の少なくとも一方が周方向に延在するスライドリングカラーを備え、スライドリング保持部（１４；２１）内の円筒状凹部に挿入可能であり、そしてスライドリング保持部（１４；２１）内の周方向の溝に係合する保持リングによって保持可能である装置。
【請求項１８】
両スライドリングの少なくとも一方が少なくとも１つの突起を備え、この突起がスライドリングを収容する保持部の対応する凹部に係合していることを特徴とする請求項１４〜１７のいずれか一項に記載の装置。
【発明の詳細な説明】
【技術分野】
【０００１】
本発明は、冷却媒体供給部を特に連続鋳造設備用のロールに接続するための装置に関する。
【背景技術】
【０００２】
連続鋳造設備の場合、ストランドの形をした赤熱する鋼がロールを経て走行する。このロールは外側においてジャーナルを介してころがり軸受によって軸受台に軸承されている。ロールは、熱を排出するために、閉鎖回路内でロールの内部に圧力下の冷却媒体（特に水）を供給することによって冷却される。これは例えばジャーナルを通る軸方向のロール穴を経て水を案内することによって実現可能である。
【０００３】
特許文献１により、冷却媒体供給部を、特に連続鋳造設備用のバックアップロールおよび／またはピンチロールに接続するための装置が知られている。この装置の場合には、各々の軸受台がカバーによって閉鎖されている。カバーは冷却通路を備えている。この冷却通路は冷却媒体供給部または冷却媒体排出部に接続するために軸受台内の他の冷却通路に接続され、他端がジャーナル穴の範囲に開口している。このように形成されたカプセル化されたユニットは、構成要素を摩耗しないように比較的良好に保護する。なぜなら、構成要素が連続鋳造設備の部分的に攻撃的な雰囲気（水の飛沫）に対しておよび外部からの機械的な作用に対して保護されるからである。
【０００４】
しかし、この装置は一方では、冷却媒体通路を形成するために互いに正確に調和した、軸受台と軸受台カバーからなる要素が、既存の連続鋳造設備の改造を困難にするという欠点がある。特に、軸受台カバーによって覆われた構成要素（弾性補償器、この補償器に設けられたシールユニット、ころがり軸受等）へのアクセスを可能にするためには、軸受台カバー全体を分解しなければならないので、この装置のメンテナンス作業の実施は困難である。
【０００５】
特許文献２により、冷却媒体供給部を特に連続鋳造設備用のロールに接続するための二部材から成るなる回転管継ぎ手（zweiteilige Drehdurchfuerung）が知られている。このロールはジャーナルを介して軸受台のころがり軸受に軸承され、ジャーナルを通る軸方向の穴から冷却媒体がこのロールに供給される。
【０００６】
特許文献３により、冷却媒体供給部をロールに接続するための他の装置が知られている。この場合、ロールはジャーナルを介してころがり軸受によって軸受台に軸承され、ジャーナルを通る少なくとも１つの軸方向ロール穴から冷却媒体を供給可能である。この装置は、ロール穴を覆うために軸受台に固定可能な軸受台カバーと、冷却媒体供給部に接続可能な少なくとも１つの冷却媒体通路と、ロール穴と軸受台カバーとの間に配置されたシールユニットとを備えている。
【０００７】
この装置の場合には、軸受台カバーからインサートを分解した状態で、例えばメンテナンス作業を行うために外部から特にシールユニットへのアクセスを行うことができ、その際軸受台カバー全体を取り外す必要がない。
【０００８】
従来技術で知られている、両方の最後に述べたこれら回転管継ぎ手（Dreheinfuerungen）は、特に寿命に関する良好な特性と良好なメンテナンス特性を既に有しているが、使用される構成要素のメンテナンスしやすさやアクセス性をさらに改善した回転管継ぎ手が望まれている。
【０００９】
【特許文献１】独国特許第４２  ０７  ０４２  Ｃ１号明細書
【特許文献２】独国特許出願公開第１００１７１８４  Ａ１号明細書
【特許文献３】国際公開第０４９１８３０号パンフレット
【発明の開示】
【発明が解決しようとする課題】
【００１０】
そこで、本発明の課題は、従来技術で知られている回転管継ぎ手を、構成要素のメンテナンスしやすさやアクセス性に関してさらに改善することである。
【課題を解決するための手段】
【００１１】
本発明の課題は、請求項１の特徴を有する装置を提供することによって解決される。
【００１２】
本発明は、ロールがジャーナルを介してころがり軸受によって軸受台に軸承され、ジャーナルを通る軸方向のロール穴を経て冷却媒体をロールに供給可能である、冷却媒体供給部を特に連続鋳造設備用のロールに接続するための装置であって、
ロール穴に接続するためにロールジャーナルに圧密に固定可能である、軸方向穴を有するシールユニットと、
軸方向のロール穴を覆うために軸受台に固定可能である軸受台カバーとを備え、この軸受台カバーが冷却媒体供給部に接続可能である少なくとも１つの冷却媒体通路を備え、この冷却媒体通路がシールユニットを介して軸方向のロール穴に接続可能であり、
シールユニットが二分割シールユニットとして形成され、この二分割シールユニットがロール穴の収容部に差込み可能なブッシュを備え、このブッシュがそれに固定されてそれと共に回転する、第１シール面を有する第１シール要素を備え、二分割シールユニットがさらに、第１シール面上で滑動する第２シール面を有する第２シール要素を備え、第２シール要素が軸受台カバーによって支持されているかまたは軸受台カバーと一体化され、ロール穴に差込み可能なブッシュが組み立て状態でボルトなし差込み継手によってロール穴内で保持されている、装置に関する。
【００１３】
本発明では、シール要素を支持するブッシュがロール穴の収容部に差込み可能であり、組み立て状態でボルトなし差込み継手を介してロール穴に取外し可能に連結されている。最も簡単な場合には、ブッシュが好ましくは円筒状収容部として形成されたロール穴内で、１個または複数のＯリングを介して保持され、このＯリングがブッシュとロール穴との間の隙間、例えばブッシュの各々１つの外溝またはロール穴の各々１つの内溝の中に配置されている。
【００１４】
ブッシュとロール穴の収容部との間の連結部を、ボルトなし差込み継手として形成したことにより、本発明に係る装置の組み立て時に、ブッシュはそれに固定可能なシール要素と共に、ロール穴内に差込み位置まで、好ましくはかみ合い連結的にかつボルト止めせずに差込み可能であり、そしてメンテナンス作業のために、軸受台カバーを取り外して、もし必要であれば引き抜き工具を用いて、ロール穴からブッシュを簡単に引き抜くことができ、その際前もってボルトを弛める必要がない。これにより、きわめて簡単で迅速な組み立てが保証される。
【００１５】
本発明の他の実施形態では、第２シール要素が組み立て状態でボルトなし差込み継手を介して軸受台カバーに取外し可能に連結されている。この実施形態は、軸受台カバーの側でも差込み継手を使用することができ、軸受台カバーに挿入可能なインサートに固定可能であるシール要素を、メンテナンスの場合に迅速かつ簡単に取外すことができるという利点がある。
【００１６】
シールユニットを二分割シールユニットとして形成する場合、メンテナンスのときに軸受台カバーを取り外した後で、軸受台カバーに固定されたシール要素は軸受台カバーに固定されたままであり、一方、ボルトなし差込み継手を介してロール穴内で保持されたブッシュはそれに固定されたシール要素と共にロール穴内に保持されたままである。そして次のステップで、ブッシュをロール穴から簡単に引き抜くことができ、そして軸受台カバーに固定されたシール要素を、それがボルトなし差込み継手を介して軸受台カバーによって保持されている場合には、簡単に引き抜くことが可能である。従って、ボルト連結部を必要とせずに、本発明に係る装置の迅速な組み立てまたは分解が可能である。
【００１７】
本発明に係る装置の他の実施形態では、第１シール要素が弾性スリーブによって支持され、この弾性スリーブがロール穴に差込み可能なブッシュに圧密に固定されている。第１シール要素のシール面は、運転中ロールの回転の際に、軸受台カバーによって支持された第２シール要素のシール面上で滑動する。それと逆の配置構造の場合、第２シール要素が弾性スリーブによって支持され、この弾性スリーブが軸受台カバーに圧密に固定され、一方、第１シール要素がロール穴に差込み可能なブッシュによって支持されている。
【００１８】
シール要素の両配置構造の場合、組み立て状態で、シール要素が弾性スリーブ、好ましくは補償器の押圧力によって、運転位置に保持されて、確実にシールする。補償器は好ましくは、両シール要素の相互の押圧力を高めるために、組み立て時の補償器の長さによって生じる初期応力でもって運転位置で組み込まれるように採寸されている。
【００１９】
特別な実施形態では、本発明に係る装置は、互いに滑動する２個のスライドリングをシール要素として有するシールユニットを備え、一方のスライドリングが軸受台カバーによって支持され、他方のスライドリングが弾性スリーブによって支持されている。この実施形態の場合、スライドリングと弾性スリーブが半径方向に動くことができるので、運転中のロールの負荷の際の、シールユニットに作用する傾動モーメントが相殺され、それに伴い装置の寿命が高められることになる。本発明では、硬質材料、特に炭化ケイ素からなるスライドリングが好ましい。
【００２０】
さらに、ブッシュは軸方向のロール穴内への差込み深さを制限するためにストッパーを備えている。このようなストッパーは例えばブッシュにカラーの形に形成することができ、このカラーは外側がロールジャーナルに接触するかまたはロールジャーナルに係合する。その代わりに、ロール穴内へブッシュを挿入しすぎないようにする突起またはピンを、ブッシュのエッジに設けることができる。
【００２１】
連続鋳造設備の蒸気衝撃による蒸気圧で、ロール内部寄りのブッシュ端部を付勢することにより、ロール穴の収容部内にボルトなし差込み継手によって固定されたブッシュが、その都度の運転位置から大きく移動し、シール要素、特に弾性スリーブが損傷することを防止するために、シール要素を半径方向から取り囲むカラーの形に形成可能なストッパーを、両シール要素の一方に設けることができ、このカラーは蒸気衝撃による圧力でブッシュが付勢される際に他方のシール要素に押し付けられ、両シール要素の相対的な半径方向移動を制限する。さらに、ロール軸線と同軸方向に延在し、カラーと同じ作用をする突起を設けることができる。
【００２２】
ロール穴の収容部内でのブッシュの保持を、１個または複数のＯリングによって行い、それによってロール穴内でのブッシュの回転を防止することが可能であるがさらに、ボルトなし差込み継手が軸受台カバーの側にも回転防止部材を備えることができる。このような回転防止部材は、例えばロールジャーナル側の対応する凹部に係合する、ブッシュの１個または複数の突起の形に形成可能である。この凹部はロールジャーナル端部ところがり軸受を覆う環状板に形成可能である。有利な形態では、回転防止部材は、ロールジャーナル端部に接触または係合する末端のカラーに、突起の形に形成可能であり、この突起は組み立て状態でロールジャーナル側の対応する凹部に係合する。さらに、差込みロックのような回転防止部材を使用することができる。
【００２３】
連続鋳造設備運転用の水供給のために、軸受台カバーに固定可能なサイフォン管を、ブッシュとシールユニットに挿入することができる。冷却媒体、好ましくは冷却水が、このサイフォン管を通ってロール内部に案内される。従って、ブッシュは一般的に両側が開放している。
【００２４】
メンテナンス作業の際にブッシュを取外すために、ロール穴からブッシュを引き抜くための引き抜き工具を、組み立て状態でブッシュに係合させることが可能である。そのために、ブッシュは、その組み立て状態でロールジャーナルから引き抜くための引き抜き工具を係合させることができる引き抜き手段を備えることができる。この引き抜き手段が引き抜き工具を係合させることができるブッシュの穴であってもよいし、または差込み位置でブッシュとロール穴との間でロール内部の方に軸方向中間室が形成されるようにブッシュが採寸され、この中間室内にフックが入れられ、このフックがブッシュ上またはブッシュの背後に係合して、ロール穴からの引き出しを可能にする。
【００２５】
組み立て状態でシールユニットを支持するインサートがロール軸線と同軸の軸受台カバーの穴に挿入可能であると、本発明に係る装置のメンテナンスがさらに容易になる。その際、シールユニットを介して冷却媒体通路をロール穴に圧密に接続するために、インサートは少なくとも１つの冷却媒体通路を備え、この冷却媒体通路はインサートの組み立て状態で軸受台カバー内の冷却媒体通路とシールユニットに接続されている。
【００２６】
インサートとそれに関連する軸受台カバーの穴は直径が次のように採寸されかつ互いに調和している。すなわち、インサートを取り外した状態で必要な場合には引き抜き工具を用いてロールの穴から軸受台カバーの穴を通ってブッシュを引き抜くことができ、その際軸受台カバーを取り外す必要がないように、採寸されかつ互いに調和している。この実施形態は回転管継ぎ手の構成要素へのきわめて簡単なアクセスを可能にし、その際軸受台カバーによって覆われた空間内で固定ボルトを弛める必要がない。従って、本発明に係る装置の構成要素を簡単に点検することができ、メンテナンス作業の際にもし必要であれば交換することができる。
【００２７】
インサートは好ましくは少なくとも１つの冷却媒体通路を備え、この冷却媒体通路はインサートの組み立て状態で軸受台カバーの冷却媒体通路に接続されている。
【００２８】
他の実施形態では、インサートが第１冷却媒体通路と第２冷却媒体通路とを備え、インサートの組み立て状態でこの両冷却媒体通路が軸受台カバーの第１または第２冷却媒体通路に接続されている。軸受台カバーの一方の冷却媒体通路は好ましくは冷却媒体供給部に接続可能であり、他方の冷却媒体通路は冷却媒体排出部に接続可能である。このいわゆる二重回転管継ぎ手（Duo-Dreheinfuehrung）の場合、冷却媒体は第１冷却媒体通路とシールユニットとサイフォン管を経てロール内部に案内され、軸受台カバー内の第２冷却媒体通路を通って例えば床の水排出部に戻され、そこから排出される。サイフォン管はインサートに差込み可能であり、それによってロール軸線回りに同心的に配置された、冷却媒体を戻すための環状隙間を形成している。
【００２９】
他の実施形態では、冷却媒体排出部および／または冷却媒体供給部に連結された軸受台据え付け面に接続するための接続管が、軸受台カバーの少なくとも１つの冷却媒体通路内に挿入可能であり、それによって例えば床側で案内された冷却水供給管および冷却水排出管への接続が保証される。
【００３０】
他の実施形態では、本発明に係る装置は次のように形成可能である。すなわち、軸受台カバーが軸受台に配置された固定カラーを備え、この固定カラーによって軸受台カバーが固定ボルトを介して軸受台に固定可能であり、そしてインサートを挿入可能である、固定カラーに対して隆起した軸受台カバー範囲が、軸受台のころがり軸受の直径とほぼ同じ大きさの直径を有するように、形成可能である。軸受台カバーの隆起した範囲には、インサートから離れるかまたはインサートに達する少なくとも１つの冷却水通路を、軸受台カバーのエッジまで半径方向外側に穿孔することができ、この穴は連続鋳造設備の運転中それぞれ好ましくはねじ付き栓によって閉鎖されている。このねじ付き栓はメンテナンス作業のために設備の停止状態でねじを弛めて外すことができ、それによって圧縮空気の供給が可能となり、ロール内部から冷却水を吹き出して除去することができる。
【００３１】
本発明ではさらに、スライドリング対のシールを備えた本発明に係る装置のような、冷却媒体供給部を特に連続鋳造設備用のロールに接続するための装置は、シールユニットが二分割シールユニットとして形成され、シールユニットがそれぞれスライドリング保持部内に、第１シール面を有する第１スライドリングと、第１シール面上で滑動する第２シール面を有する第２スライドリングとを備え、両スライドリングの少なくとも一方が周方向に延在するスライドリングカラーを備え、スライドリング保持部内の円筒状凹部に挿入可能であり、そしてスライドリングがスライドリング保持部内の周方向の溝に挿入可能な保持リングによって保持可能であることによって、メンテナンスが一層容易になる。これにより、スライドリングを保持部に簡単に挿入可能であり、かつスライドリングを接着しないで保持リングによって保持可能である。メンテナンスの場合、保持リングは例えばプライヤによって取り外され、スライドリングは保持部から取り外すことができる。スライドリング対のシールの他の実施形態では、両スライドリングの少なくとも一方が突起を備え、この突起がスライドリングを収容する保持部内の対応する凹部に係合している。それによって、保持部内でのスライドリングの回転が確実に防止される。
【００３２】
本発明の他の実施形態は以下の記載と従属請求項から明らかである。
【００３３】
次に、添付の図に示した実施形態に基づいて本発明を詳しく説明する。
【発明を実施するための最良の形態】
【００３４】
図１において、本発明に係る装置１は、連続鋳造設備のロール２に（図示せず）冷却媒体供給部を接続する働きをする。ロール２はジャーナル３を介してころがり軸受５によって軸受台４に軸承されている。ロール２には、ジャーナル３を通過する軸方向のロール穴６を経て、冷却媒体が供給可能である。
【００３５】
ロールジャーナル３内にブッシュ７を、好ましくはかみ合い連結的に差込むことができる。このブッシュは好ましくは補償器として形成された弾性スリーブ８を収容する働きをする。特殊鋼からなる補償器の形態にスリーブを形成すると有利であるがそのほかに、弾性を付与する他の材料によって、場合によっては織物で補強された、ブッシュ７に嵌め込み可能なゴム中空円筒体の形態に弾性スリーブを形成することができる。これによって、スリーブ８の優れた可撓性が達成され、ロールの負荷の際の本発明による装置の摩耗が小さくなる。
【００３６】
ブッシュ７はロール穴への差込み深さを制限する手段を備えていてもよい。この手段は簡単な場合には、末端に設けられたカラー２４の形に形成可能である。このカラーはロールジャーナル端部に接触するかまたはロールジャーナル３の端部を覆う環状板２２に係合する。ブッシュ７はさらに、少なくとも１個の回転防止部材を備えていてもよい。この回転防止部材は組み立て状態でロールジャーナル端部側の対応する凹部に係合する。この凹部を環状板２２に形成してもよい。
【００３７】
軸受台４には軸受台カバー９が固定されている。この軸受台カバー９は図示した実施形態では、第１冷却媒体通路１７を有し、ロールの同じ側から冷却水を供給および排出する場合にはさらに第２冷却媒体通路１８を有する。冷却媒体通路１７の端部は冷却媒体供給部に接続可能であり、冷却媒体通路１８の端部は冷却媒体排出部（両方共図示せず）に接続可能である。
【００３８】
図１に示した軸受台カバー９は軸受台４の側面の少なくとも一部を覆っている。その際、軸受台カバー９にインサート１４が挿入され、このインサートにはサイフォン管１５が気密で固定されている。ロール内部に挿入されたサイフォン管１５は次のように採寸されている。すなわち、サイフォン管が、ロールの内部に達する図示していない冷却水用案内管の外向きの端区間に挿入され、サイフォン管と冷却水用案内管との間に環状隙間が形成されるように採寸されている。この環状隙間は、一方では両管の相対回転が可能であり、他方では同時に冷却水の流通が阻止されるように採寸されている。
【００３９】
インサート１４は図３から判るように、サイフォン管１５に接続された第１冷却媒体通路１１を有し、図に示すようにロールの同じ側から冷却水を供給および排出する場合にはさらに、冷却水を排出するための第２冷却媒体通路１２を有する。冷却媒体通路１１、１２はそれぞれ軸受台カバー９内の冷却媒体通路１７、１８に開口し、そして他端においてロール穴６に開口し、それによってロール穴が冷却水の供給または排出のために冷却媒体通路１１、１２に接続されている。
【００４０】
図１においては、インサート１４とロール穴６との間にシールユニットが設けられている。このシールユニットは実施形態では特に、ブッシュ７寄りのインサート１４の端部に配置されたシール要素１９としてのスライドリングと、このシール要素１９に対応して、スライドリングとして形成された他のシール要素２０とを備え、このシール要素２０は軸受台カバー９寄りのスリーブ８の端部に配置されたアタッチメント２１に設けられている。従って、図１の実施形態において、シール要素１９、２０のシール面はロールの回転軸線に対して垂直に配置されている。
【００４１】
シール要素１９、２０のシール面のこの幾何学的配置構造は、シール要素に作用する力を良好に相殺することができるので有利であるが、異なるように協働するシール要素を備えた他のシールユニットを使用する場合には、シール要素１９、２０のシール面のこの幾何学的配置構造は本発明に係る装置１においては必ずしも必要ではない。
【００４２】
特に炭化ケイ素からなる両スライドリング１８、１９の少なくとも一方は好ましくは、保持リング２３によって、インサート１４または弾性スリーブ８のアタッチメント２１に保持されている。他の実施形態では、両スライドリング１８、１９の少なくとも一方が、他のスライドリング１８、１９とは反対側のその端部に、周方向に延在する外側のスライドリングカラーを備え、インサート１４またはアタッチメント２１あるいは弾性スリーブ８の円筒状凹部内に挿入可能である。この場合、スライドリング１８、１９は円筒状凹部内の円筒内面の周方向の溝内に挿入可能でスライドリングカラーに作用する保持リング２３によって保持可能である。
【００４３】
軸受台カバー９の冷却媒体通路１７、１８にはそれぞれ、インサート１４とは反対側のその端部から、（図示せず）接続管を挿入して軸受台据え付け面１３に接続することができる。この軸受台据え付け面は（図示せず）冷却媒体排出部および／または冷却媒体供給部に接続されている。
【００４４】
軸受台カバー９はロール軸線と同軸の穴（図示せず）を冷却媒体通路１７、１８内に備えている。この穴はねじ込み可能な（図示せず）閉鎖栓によって閉鎖可能である。閉鎖栓は連続鋳造設備のメンテナンス作業の際ねじを弛めて取り外すことができる。従って、圧縮空気のような洗浄媒体を供給することができ、それによって冷却水を吹き出してロール内部から冷却水を取り除き、メンテナンス作業を容易にすることができる。
【００４５】
軸受台４に対する軸受台カバー９の固定は好ましくは、固定ボルト１０を介して取外し可能に行われる。この固定ボルトは軸受台カバー９の円周に沿って特に等間隔に配置可能である。同様に、インサート１４は固定ボルト１６を介して軸受台カバーに取外し可能に固定されている。その結果、固定ボルト１６を取外し、続いてインサート１４を取り出すことにより、メンテナンス作業を行うために、組み立て状態でインサート１４によって覆われた構成要素、特にシールユニットに対して、外部から問題なくアクセスすることができる。その際、メンテナンス作業のために、軸受台カバー９全体を装置１から分解する必要がない。そのために、インサート１４は好ましくは、インサート１４を取り外しときに、組み立て状態でインサート１４によって覆われた構成要素、特にシールユニット７、８、１９、２０に対して外部からアクセスすることができるように採寸されており、その際妨害されずにブッシュ７にアクセスできることにより、場合によっては引き抜き工具を使用して、ロール穴６からシールユニット７、８、１９、２０を引き抜くことができる。
【００４６】
これに対して、インサート１４が軸受台カバー９内に組み立てられている場合には、一方では冷却媒体供給部１１、１２、１７、１８が、他方ではシールユニット７、８、１９、２０が、連続鋳造設備の攻撃的な雰囲気に対して保護され、従って過度の摩耗が防止される。
【００４７】
本発明に係る装置は既存の連続鋳造設備にも問題なく組込みことができる。というのは、本発明を特徴づけるすべての手段が軸受台カバーの側に設けられ、従って本発明に係る装置の機能が軸受台４の仕様と無関係であるからである。
【００４８】
図２に示した実施形態の場合、シール要素の配置と、シール要素のそれぞれの保持が、図１に示した実施形態に対して変更されている。図２に示すように、補償器として形成された弾性スリーブが軸受台カバー９に固定され、一方、第１シール要素１９がスライドリング支持スリーブ２５を介してブッシュ上に配置されている。
【００４９】
図３に示すように、図１のＡ−Ａ線に沿った、本発明に係る装置の実施形態の横断面図は、軸受台カバー９内における冷却通路１７；１８の延長形状と、冷却通路１７；１８からインサート１４への移行部を具体的に示している。
【図面の簡単な説明】
【００５０】
【図１】本発明に係る装置の実施形態の部分縦断面図である。
【図２】本発明に係る装置の他の実施形態の部分縦断面図である。
【図３】図１のＡ−Ａ線に沿った、本発明に係る装置の実施形態の横断面図である。
【符号の説明】
【００５１】
１        冷却媒体供給部を接続するための装置
２        ロール
３        ジャーナル
４        軸受台
５        ころがり軸受
６        軸方向のロール穴
７        ブッシュ
８        弾性スリーブ
９        軸受台カバー
１０      軸受台カバーの固定ボルト
１１      冷却媒体通路
１２      冷却媒体通路
１３      軸受台据え付け面
１４      インサート
１５      サイフォン管
１６      インサートの固定ボルト
１７      軸受台カバー内の第１冷却媒体通路
１８      軸受台カバー内の第２冷却媒体通路
１９      スライドリングの形をした第１シール要素
２０      スライドリングの形をした第２シール要素
２１      アタッチメント
２２      環状板
２３      保持リング
２４      カラー／回転防止部材、  ストッパー
２５      スライドリング支持スリーブ
２６      Ｏリング
【図１】
2009513361.tif 000003
【図２】
2009513361.tif 000004
【図３】
2009513361.tif 000005
【手続補正書】
【提出日】平成19年8月28日(2007.8.28)
【手続補正１】
【補正対象書類名】特許請求の範囲
【補正対象項目名】全文
【補正方法】変更
【補正の内容】
【特許請求の範囲】
【請求項１】
ロール（２）がジャーナル（３）を介してころがり軸受（５）によって軸受台（４）に軸承され、ジャーナル（３）を通る軸方向のロール穴（６）を経て冷却媒体をロールに供給可能である、冷却媒体供給部を連続鋳造設備用のロールに接続するための装置であって、
ロール穴（６）に接続するためにロールジャーナル（３）に圧密に固定可能である、軸方向穴を有するシールユニットと、
軸方向のロール穴（６）を覆うために軸受台（４）に固定可能である軸受台カバー（９）とを備え、この軸受台カバーが冷却媒体供給部に接続可能である少なくとも１つの冷却媒体通路（１７；１８）を備え、この冷却媒体通路がシールユニットを介して軸方向のロール穴（６）に接続可能であり、
シールユニットが二分割シールユニットとして形成され、この二分割シールユニットがロール穴（６）に差込み可能なブッシュ（７）を備え、このブッシュがそれに固定されてそれと共に回転する、第１シール面を有する第１シール要素（１９）を備え、二分割シールユニットがさらに、第１シール面上で滑動する第２シール面を有する第２シール要素（２０）を備え、第２シール要素が軸受台カバー（９）によって支持されているかまたは軸受台カバーと一体化され、
両シール要素（１９；２０）が互いに滑動するスライドリングとして形成され、
ロール穴（６）に差込み可能なブッシュ（７）が組み立て状態でボルトなし差込み継手によってロール穴（６）内で保持されている、装置。
【請求項２】
第２シール要素（２０）が組み立て状態でボルトなし差込み継手を介して軸受台カバー（９）に取外し可能に連結されていることを特徴とする請求項１に記載の装置。
【請求項３】
第１シール要素（１９）が弾性スリーブ（８）によって支持され、この弾性スリーブがロール穴（６）に差込み可能なブッシュ（７）に圧密に固定されていることを特徴とする請求項１または２に記載の装置。
【請求項４】
第２シール要素（２０）が弾性スリーブ（８）によって支持され、この弾性スリーブが軸受台カバー（９）に圧密に固定されていることを特徴とする請求項１または２に記載の装置。
【請求項５】
ブッシュ（７）が軸方向のロール穴（６）内への差込み深さを制限するためにストッパー（２４）を備えていることを特徴とする請求項１〜４のいずれか一項に記載の装置。
【請求項６】
ボルトなし差込み継手が回転防止部材を備えていることを特徴とする請求項１〜５のいずれか一項に記載の装置。
【請求項７】
ブッシュ（７）が引き抜き手段を有しており、これらブッシュ（７）が組み立て状態で、ロール穴（６）からブッシュ（７）を引き抜くために引き抜き工具を係合させることが可能であることを特徴とする請求項１〜６のいずれか一項に記載の装置。
【請求項８】
弾性スリーブ（８）が補償器を備えていることを特徴とする請求項３〜７のいずれか一項に記載の装置。
【請求項９】
組み立て状態でシールユニット（７；８；１９；２０）を支持するインサート（１４）が軸受台カバー（９）に挿入可能であり、シールユニットを介して冷却媒体供給部を軸方向のロール穴（６）に圧密に接続するために、インサート（１４）が少なくとも１つの冷却媒体通路を備え、この冷却媒体通路がインサート（１４）の組み立て状態で軸受台カバー（９）内の冷却媒体通路（１７；１８）とシールユニット（７；８；１９；２０）に接続されていることを特徴とする請求項１〜８のいずれか一項に記載の装置。
【請求項１０】
インサート（１４）が分解状態で軸受台カバー（９）を取り外さずにロール穴からブッシュ（７）を取り出すことができるように採寸されて形成されていることを特徴とする請求項９に記載の装置。
【請求項１１】
インサート（１４）が第１冷却媒体通路（１１）と第２冷却媒体通路（１２）とを備え、インサートの組み立て状態でこの両冷却媒体通路が軸受台カバー（９）の第１または第２冷却媒体通路（１７；１８）に接続されていることを特徴とする請求項９または１０に記載の装置。
【請求項１２】
軸受台カバー（９）の第１冷却媒体通路（１７）が冷却媒体供給部に接続可能であり、軸受台カバー（９）の第２冷却媒体通路（１８）が冷却媒体排出部に接続可能であることを特徴とする請求項１１に記載の装置。
【請求項１３】
冷却媒体排出部および／または冷却媒体供給部に接続された軸受台据え付け面に接続するための接続管が、軸受台カバー（９）の少なくとも１つの冷却媒体通路内に挿入可能であり、この場合接続管が軸受台カバー（９）によって収容されるように挿入可能であることを特徴とする請求項１〜１２のいずれか一項に記載の装置。
【請求項１４】
両スライドリング（１９；２０）がそれぞれ各々１個の保持リング（２３）によって保持可能であることを特徴とする請求項１〜１２のいずれか一項に記載の装置。
【請求項１５】
両スライドリング（１９；２０）の各々が周方向に延在するスライドリングカラーを備え、保持リング（２３）がこのスライドリングカラーに作用していることを特徴とする請求項１４に記載の装置。
【請求項１６】
ロール（２）がジャーナル（３）を介してころがり軸受（５）によって軸受台（４）に軸承され、ジャーナル（３）を通る軸方向のロール穴（６）を経て冷却媒体をロールに供給可能である、冷却媒体供給部を連続鋳造設備用のロールに接続するための装置であって、一端がロールジャーナル（３）に、他端が冷却媒体供給部に圧密に固定可能なシールユニットを備え、このシールユニットが二分割シールユニットとして形成され、二分割シールユニットがそれぞれスライドリング保持部（１４；２１）内に、第１シール面を有する第１スライドリング（１９）と、第１シール面上で滑動する第２シール面を有する第２スライドリング（２０）とを備え、両スライドリング（１９；２０）の少なくとも一方が周方向に延在するスライドリングカラーを備え、スライドリング保持部（１４；２１）内の円筒状凹部に挿入可能であり、そしてスライドリング保持部（１４；２１）内の周方向の溝に係合する保持リングによって保持可能である装置。
【請求項１７】
両スライドリングの少なくとも一方が少なくとも１つの突起を備え、この突起がスライドリングを収容する保持部の対応する凹部に係合していることを特徴とする請求項１４〜１６のいずれか一項に記載の装置。
【国際調査報告】
2009513361.tif 000006
2009513361.tif 000007
2009513361.tif 000008
2009513361.tif 000009